(57)【要約】【課題】第１洗濯機の経済運転を図り、排水するすゝぎぎ水を再使用させ、洗濯水の再使用、回転翼の空転の減少を可能させ、節水を図りＣｏ２の削減環境を護る洗濯装置。【課題を解決するための手段】第１洗濯機の経済運転を図るため、開発した、低水位排水装置を介し、きれいな水と汚れた水を水を別々とするため、洗濯機水槽上部にきれいな水の壁を形成させ、下部に汚れた水の壁を形成させ、経済運転として、排水するすゝぎ水を、更に第２洗濯機で、再使用し、すゝぎ水を半減させ、節水を可能とし、回転翼の空転の減少を図るため、汚れた水を加速排水させＣｏ２の削減洗濯時間の短縮を可能とする洗濯装置【選択図】図１
2011067583.tif 000002
【特許請求の範囲】
【請求項１】
現在全自動洗濯機は、毎回洗濯水すゝぎ水を排水されてゐるが、京都議定書に沿った経済運転を図るため、低水位排水装置を開発した。使用する洗濯機（限定せず）の洗濯物のすゝぎ操作に、許容される低水位として、汚れた水を、加速排水させるため洗濯機の排水パイプに、装置の取入パイプを直結させ、バルプを装備しバルプの開閉に依り、洗濯機の経済運転を図り、排水するものとし更にそのすゝぎ水を離れた場所でも接合しても再使用を可能とするため、個有の排水バルプの外に、新に排水パイプの下方に排水バルプを設ける、第２洗濯機（限定せず）又は脱水機能を有する脱水槽を使用するため、第１洗濯機の必要装置に、配線配管を施し、連動作動操作を可能とし、第２洗濯機も第１洗濯機と同様な装置とし、第１洗濯機のすゝぎ水の排水を、第２洗濯機の取入口から取入れ、第２洗濯機で再利用し、低水位として排水する洗濯装置。
【請求項２】
洗濯物のすゝぎ操作に対し、水道栓よりの水、又はタンクを使用した時、タンクの水を拡散供給させ、浮遊する洗濯物（アルキメデスの原理）を利用、水槽上部にきれいな水の壁を形成させ、下部に汚れた水の壁を形成させ、開発した低水位排水装置を介し、汚れた水を許容される低水位として、加速排水を図り、回転翼の空転を減少させ、節水省エネを図り洗濯時間の短縮を可能とする洗濯装置。
【請求項３】
第１洗濯機は、洗面台のシャワー用のパイプを延長して、必要に応じ使用出来るものとし、第２洗濯機は、洗面台下部又は床下を、反対側の浴室の１部を利用、第１洗濯機のすゝぎ水の排水の再利用を図る。家屋の新築の時、重視するものゝ１つとして、第１洗濯機と、第２洗濯機の連動作動操作を容易とする、設計構築とする、１例（限定せず）を示した洗濯装置。
【請求項４】
2011067583.tif 000005
その設置に苦りょするものがあった、議定書に沿ったものとするため小型の洗濯機、（限定せず）を製作二槽式とするか、安易に何所でも設置できものとし、第１洗濯機の必要な装置に配線配管を施し、第１洗濯機に、接合又は離れた所でも連動作動操作を可能とする洗濯装置。
【請求項５】
洗濯物のすゝぎ操作に、回転翼の回転、回転停止、排水続行、注水続行を取入る注排水すゝぎとし回転翼の空転の減少きれいな水と汚れた水を別々とさせ、節水を図り環境を護りＣｏ２の削減を可能とする洗濯装置。
【発明の詳細な説明】
【技術の分野】
【０００１】本発明は、現在全自動洗濯機は毎回洗濯水、すゝぎ水を排水されており、これは貴重な資源であり、京都議定書に沿った洗濯機の経済運転を指向する。
【背景技術】
【０００２】出願人は、洗濯機から排水されるすゝぎ水の濃度差を利用、再使用を図るため、槽を増加し三槽式洗濯機を考案したが、その設置場所の
2011067583.tif 000003
ものでもあった、これとは別に出願人は、横須賀海軍機関学校に於て、先端技術を学び艦船に於て操従分解組立を重ねる。
【特許文献１】実公昭  ５８−０１７５９６号公報
【０００３】出願人は、前記すゝぎ水の排水を再使用するため、洗濯機上方に貯水タンクを装備し、水道栓よりの水を貯水し、洗濯機に供給可能とするため供給させるものとし、貯水タンクには注水止水装置を装備し、洗濯機水槽の排水パイプに水位調整装置を装備し、第２洗濯機へすゝぎ水の排水を供給再利用を可能とする。
【特許文献２】特開平  ２００９−９０００１
【発明の開示】
【発明が解決しようとする課題】
【０００４】洗濯機の洗濯した洗濯物のすゝぎ操作は、従来はモーターを駆動させ、回転翼を回転させ、回転流に依り供給されるきれいな水と汚れた水と洗濯物を遊動回転させ、きれいな水と汚れた水を混合させ水槽上部の溢水口から排水させるものであった、そのためその体積分の汚れた水をうすめ乍ら排水するものとなり、回転翼を停止すればきれいな水をそのまゝ排水するものとなり、回転翼を停止する事は出来ず、空転を増大させ洗濯物も遊動回転を強いられるものとなり、衣類の熱をちく積してくれる大切な羽毛をむしり取り肌寒い肌衣とされるものでもあった、また回転翼を回転させ、混合させ、回転翼を停止させ排水する事も出来るが、何れも回転翼の空転を招くものでもあった。
【課題を解決するための手段】
【０００５】低水位排水装置を開発した、使用する洗濯機（限定せず）の排水パイプに、装置の取入パイプを直結させ、取入バルプを装備しバルプの開閉に依り汚れた水を低水位として加速排水を可能とし、洗濯機水槽の枯渇を防ぎ、洗濯機の経済運転を図り乍ら、排水を可能とする注排水すゝぎ操作を図れる洗濯装置。【０００６】洗濯した洗濯物のすゝぎに対し、水道栓より供給される水を拡散供給させ、浮遊する洗濯物（アルキメデスの原理）を利用水槽上部にきれいな水の壁を形成させ、下部に汚れた水の壁を形成させ、きれいな水と汚れた水を別々とし洗濯機水槽の枯渇を防ぎ低水位排水装置を介し、経済運転を図り乍ら汚れた水を加速排水させ空転を減少させすゝぎ水の節約、環境を護り省エネを図る洗濯装置。
【発明の開示】
【発明が解決しようとする課題】
【０００７】すゝぎ水の排水を、第１洗濯機に接合、又は離れた場所でも洗濯機上方に貯水タンクを設置、洗濯機に供給するものとし、第２洗濯機（限定せず）すゝぎ水の排水の再利用を認定された、併し第２洗濯機の設置場所に苦慮した。
【課題を解決するための手段】
【０００８】隣接する洗面台の下部を利用、高さが不足の時、洗面台の嵩上げを図り、又は床板を撤去床下を利用する事も１例とする。【０００９】反対側の浴室の１部を使用、又は洗面台の浴室の１部へ移すなど１例とし小型の洗濯機を製作、二槽式全自動又は最后のすゝぎ水を温存節約するため単なる洗濯機の二槽式とする。必要に応じ機種の変更をする事も可能とする洗濯装置。【００１０】１例として新に製作した小型の洗濯機を何所でも容易に設置使用を図る【００１１】第１洗濯機の経済運転を図り乍ら、排水するすゝぎ水を第２洗濯機に取入る取入口を設ける。【００１２】第１洗濯機の排水パイプを低水位の高さとして、排水第２洗濯機に供
2011067583.tif 000004
げた場合排水速度を遅くする丈けでなく、装置のパイプの中を流れるすゝぎ水を押上げる力を必要とし、回転翼の空転を増大させる事が考へられる。【００１３】止むを得ず平面積を過大に増加した回転翼を使用した洗濯機を用いる時、認定された貯水タンクを、洗濯機上方に設置、注水止水装置を装備、水道栓よりの水を貯水し、洗濯機に供給するパイプにバルプを装備し洗濯機に拡散供給、水槽内の水位をすゝぎ操作に、低水位排水装置を上過る水位として下圧力を増大させ排水速度の加速を図り、そのため手動に依る供給加減弁を装備バルプに目印をつけ、このバルプは常時開いたまゝとするものとし開度手動調整を図る。
【発明の開示】
【発明が解決しようとする課題】
【００１４】回転翼の平面積は、それぞれの洗濯機に依り多種多様であるそのため一律に経済運転を図る事は至難である。
【課題を解決するための手段】
【００１５】洗濯物の注排水すゝぎ操作に、回転翼の回転、回転停止、排水続行、注水続行を取入る、前記貯水タンクを使用、大小様々な洗濯機に洗濯機水槽内に低水位を設定し、その高さから汚れた水を排水する時間をはかり、その水が排水される時間を回転翼の停止時間とするものとし、設定する。これに依り回転翼の停止中も、注排水すゝぎは行はれおり、それ丈回転翼の回転は減少される。
【発明の効果】
【００１６】従来の洗濯機の、洗濯物のすゝぎ操作は、モーターを駆動し、ベルトを介し回転翼を回転させ、洗濯物ときれいな水と汚れた水を回転させ、きれいな水と汚れた水を混合させ、洗濯機水槽の、体積分の汚れた水をわざわざうすめて溢水口から排水するものであり、モーターを駆動、回転翼を回転させ又モーターを止動させ、回転翼を停止させ、下部排水パイプから排水させる手段もあった、何れも混合排水させるものであり、モーターを停止すればきれいな水はそのまゝ排水されるため、回転翼も洗濯物も遊動回転を多くし、洗濯物は熱を貯へてくれる大切な羽毛はむしり取られ肌寒いものとし、波及効果とし、暖房を必要とする、回転翼はそのため空転を増大させるものでもあった。これらを大きく改良洗濯効果の向上すゝぎ水の半減、Ｃｏ２の削減洗濯時間の短縮を可能とする。【００１７】低水位排水装置を開発した、これに依り洗濯物のすゝぎ操作に対して洗濯機水槽上部にきれいな水の壁を形成させ、下部に汚れた水の壁を形成させ、きれいな水と汚れた水を別々とし、低水位として洗濯機水槽の枯渇を防ぎ経済運転を図り、低水位の高さとし、汚れた水を加速排水させ、回転翼の空転の減少を可能とし洗濯時間の短縮Ｃｏ２の削減を可能とする。【００１８】経済運転を図り乍ら、現在只排水されてゐる洗濯機のすゝぎ水の排水を、第２洗濯機へ供給、すゝぎ水の使用を半減させるものとする。これに依りダムの肥大化を大きく防ぐものとし、環境を護りに貢けんするものとする。【００１９】洗濯機上方に貯水タンクを設置し、洗濯機に対し大量に洗濯水を供給させ、排水口も増加し、２つとし低水位排水装置も復数とし、大型洗濯機の使用も経済運転を可能として、使用出来る事を特徴とした洗濯装置。【００２０】貯水タンクを使用し、回転翼の回転、回転停止、排水続行、注水続行を洗濯機のすゝぎ操作に取入る事に依り、回転翼の回転空転を減少させＣｏ２の削減を可能とする。
［本発明の一実施例を図面に基いて説明する］【００２１】洗濯の場合、第１洗濯機（１）と第２洗濯機（６）に分けて洗濯する事が出来る。水道栓（２）よりのバルプ（３）を開き、洗濯機（１）に供給（７）する、貯水タンク（４）よりの供給パイプ（８）のバルプ（９）を開いて、供給加減バルプ（４０）を開いて、供給（１０）する。供給加減バルプ（４０）手動で供給を加減するバルプで、常時開いたまゝである。第２洗濯機（６）へ、水道栓（２）よりの水を供給するため、第２洗濯機（６）へ水道水の、取入れバルプ（１１）を開いて、水道水を供給（１２）する、適水となったらそれぞれバルプを閉さする、洗濯物を２つに分けて、適当な数量とし洗濯するため、第１洗濯機（１）と、第２洗濯機（６）へ水道栓のバルプ（２）は常時開いたまゝであり、取入バルプ（１１）を、開いて供給（１２）する、第１洗濯機（１）第２洗濯機（６）適水となったらそれぞれバルプを閉さする、第１洗濯機（１）と第２洗濯機（６）に、洗剤を適量に入れ、第１洗濯機（１）のモーター（１３）を駆動し、第１洗濯機（１）の回転翼（１４）を回転させ、洗濯を開始する、第２洗濯機（６）のモーター（１５）を駆動し、回転翼（１６）を回転させ、洗濯を開始する、洗濯が終ったら、第１洗濯機（１）は個有の排水バルプ（１７）を開き、新に設けた排水バルプ（１８）を開いて、排水する、第２洗濯機（６）は第２洗濯機個有の排水バルプ（１９）を開き、新に設けた排水バルプ（３０）を開いて排水する、排水が終たらそれぞれバルプは閉さする。【００２２】洗濯物は、第１洗濯機（１）は脱水槽（４１）に依り脱水処理する事も出来、第２洗濯機（６）は、脱水槽（２１）に依り脱水処理する。【００２３】洗濯物をすゝぐ場合、前記に依り第１洗濯機（１）第２洗濯機（６）には、それぞれ洗濯物がある各洗濯機（１）第２洗濯機（６）の排水バルプは閉さゝれる。【００２４】第１洗濯機（１）にすゝぎ水を供給するため、貯水タンク（４）よりの供給パイプ（８）の供給バルプ（９）を開き、加減バルプ（４０）は開いたまゝであり、第１洗濯機（１）へ供給（１０）する、第１洗濯機（１）のモーター（１３）を駆動し、回転翼（１４）を回転させる。低水位（２２）となったら、個有の排水バルプ（１７）を開き、第１低水位排水装置（２４）を介し、経済運転とする、排水の高さ（２５）として、第２洗濯機（６）の取入口（２６）に装置の排水パイプを直結供給（２７）、第２洗濯機（６）は低水位（２８）になったらモーター（１５）を駆動、回転翼（１６）を回転させすゝぎ操作を開始する、第２洗濯機（６）は個有の排水バルプ（１９）を開き、第２低水位排水装置（２９）の取入バルプ（３０）を開いて、装置を介し第２洗濯機（６）の低水位の高さとし、再利用されたすゝぎ水を排水する。洗濯物のすゝぎは新しい水を使用する事なし、第１洗濯機（１）の今まで只排水してゐたすゝぎ水に依って行はれ、これに依って従来のすゝぎ水の使用を、半減する事を可能とする、第１洗濯機（１）は新しく設けた排水バルプ（１８）を開いて脱水（４１）する。第２洗濯機（６）は新しく設けた排水バルプ（２０）を開いて脱水（２１）する。【００２５】併し実際には装置の排水パイプの中の水を押上げる力を必要とし、経済運転とする高さ（２８）とし、て排水させ、第２洗濯機（６）へ供給を図る。そのため排水速度は遅れるものであり、貯水タンク（４）の供給パイプ（８）に、調整用としてバルプ（４０）を装備、把手に目印をつけ調整を図る。ものとしこのバルプ（４０）は常時開いたまゝとし、開閉操作は行はない、手動用のバルプ（４０）とする、必要に応じ、調整バルプ（４０）に依り、供給水量の増減を図り、下圧力の増減を調整する。供給量と排水量を同一とする事は至難であり、艦船に於てもこの様に調整してゐたものであった。毎回洗濯水すゝぎ水を排水してゐては、ダムの肥大化はさける事は出来ないのであり、温暖化防止のためにもそれなりの努力は必要と思はれる、これに依ってすゝぎ水の節水を図り環境を護りＣｏ２を削減させ洗濯時間の短縮を図り、ダムの肥大化を防止する洗濯装置。【００２６】必要に応じ、洗面台のシャワー用のパイプ（３４）を、延長して使用する事も可能とする。【００２７】第１洗濯機（１）と、第２洗濯機（６）の組合せは、限定せず、任意に依り変更する事を可能とする洗濯装置。【００２８】実験に依り、低水位排水装置の取入バルプは、第１洗濯機（１）の、排水パイプ（４４）、第２洗濯機（６）の排水パイプ（４５）に、それぞれ装備（２３）（３０）されてゐるが、第１洗濯機（１）の排水パイプ（４４）の下方に新に設けた排水バルプ（１８）があり、第２洗濯機（６）の排水パイプ（４５）の下方に新に設けた排水バルプ（２０）があり、第１低水位排水装置（２４）の取入バルプ（２３）、第２低水位排水装置（２９）の取入バルプ（３０）は、建前として装備したがこれを装備しなくても、第１洗濯機（１）、第２洗濯機（６）の、経済運転にさしさわりがない事が判明した、電磁弁を使用するとそれ丈けＣｏ２を増大させ手動バルプを使用するとはんざつとなるを以て、装備するしないを任意に選択するものとする。
【図面の簡単な説明】
【００２９】
【図１】は本発明に係る一実施例を示す断面図である
【符号の説明】１    第１洗濯機
２    水道栓
３    水道栓よりのバルプ
４    貯水タンク
５    注水止水装置
６    第２洗濯機
７    第１洗濯機へ水道水の供給
８    貯水タンクよりの供給パイプ
９    貯水タンクより供給パイプのバルプ
１０  貯水タンクよりの水の供給
１１  第２洗濯機へ水道水の取入バルプ
１２  第２洗濯機へ水道水の供給
１３  第１洗濯機のモーター
１４  第１洗濯機の回転翼
１５  第２洗濯機のモーター
１６  第２洗濯機の回転翼
１７  第１洗濯機の個有の排水バルプ
１８  第１洗濯機に新に設けた排水バルプ
１９  第２洗濯機の個有の排水バルプ
２０  第２洗濯機に新に設けた排水バルプ
２１  第２洗濯機の脱水槽
２２  第１洗濯機の低水位
２３  第１低水位排水装置の取入バルプ
２４  第１低水位排水装置
２５  第１洗濯機の経済運転として排水する高さ
２６  第２洗濯機の取入口
２７  第１低水位排水装置の排水パイプを直結供給
２８  第２洗濯機の低水位
２９  第２低水位排水装置
３０  第２低水位排水装置の取入バルプ
３１  第２低水位排水装置の排水の高さ
３２  洗面台のシャワー用バルプ
３３  洗面台
３４  洗面台のシャワー用のパイプ
３５  洗濯水の取出しバルプ
３６  洗濯水の取出しパイプ
３７  第１洗濯機溢水口
３８  洗面台の鏡
３９  貯水タンクの溢水口
４０  貯水タンクより供給パイプの調整バルプ
４１  第１洗濯機の脱水槽
４２  綜合排水パイプ
４３  第２洗濯機の溢水口
４４  第１洗濯機の排水パイプ
４５  第２洗濯機の排水パイプ
【図１】
2011067583.tif 000006